(57)【要約】【課題】オフセット衝突時にアンダーランプロテクタの曲折を抑制してアンダーランプロテクタによる潜り込み防止性能を向上させる。【解決手段】アンダーランプロテクタブラケット５は、シャシフレーム４に固定されて下方へ延びるブラケット本体９と、ブラケット本体９の後端部に固定的に設けられ、車幅方向に沿って起立して前後方向と交叉し、アンダーランプロテクタ３の前面が面接触した状態でアンダーランプロテクタ３が取付られる平板状の取付面部１０と、を備える。取付面部１０は、ブラケット本体９の後端部から車幅方向外側へ張出す張出部２３を含む。張出部２３の車幅方向外側の外端縁３０は、車幅方向内側に凹む凹状部を有さず、且つ上下方向に対して傾斜する傾斜部２５，２６を有する。【選択図】図３
2017043329.tif 000002
【特許請求の範囲】
【請求項１】
車体フレームの前方又は後方に配置されて車幅方向に延びるアンダーランプロテクタを前記車体フレームに固定するためのアンダーランプロテクタブラケットであって、
前記車体フレームに固定されて下方へ延びるブラケット本体と、
前記ブラケット本体の前端部又は後端部に固定的に設けられ、車幅方向に沿って起立して前後方向と交叉し、前記アンダーランプロテクタの後面又は前面が面接触した状態で前記アンダーランプロテクタが取付られる平板状の取付面部と、を備え、
前記取付面部は、前記ブラケット本体の前端部又は後端部から車幅方向外側へ張出す張出部を含み、
前記張出部の車幅方向外側の外端縁は、車幅方向内側に凹む凹状部を有さず、且つ上下方向に対して傾斜する傾斜部を有する
ことを特徴とするアンダーランプロテクタブラケット。
【請求項２】
請求項１に記載のアンダーランプロテクタブラケットであって、
前記張出部の前記外端縁は、上下方向の中央部に対して上下対称となるように前記中央部が車幅方向外側に最も突出するＶ形状である
ことを特徴とするアンダーランプロテクタブラケット。
【発明の詳細な説明】
【技術分野】
【０００１】
本発明は、車体フレームの前方又は後方に配置されるアンダーランプロテクタを車体フレームに固定するためのアンダーランプロテクタブラケットに関する。
【背景技術】
【０００２】
トラック等の車高の高い車両（以下、大型車両と称する）に乗用自動車等の車高の低い車両（以下、小型車両と称する）が前面衝突又は追突した場合、小型車両が大型車両の下側に潜り込むおそれがある。このような不都合を防止するために、大型車両では、車体フレームの前方又は後方にそれぞれ車幅方向に延びるアンダーランプロテクタを配置することが知られている。このアンダーランプロテクタは、車体フレームの車幅方向に間隔をあけて取り付けられた一対のアンダーランプロテクタブラケット（以下、ブラケットと称する）に両端側がそれぞれ固定されて車体フレームに支持されている。
【０００３】
特許文献１には、アンダーランプロテクタを支持するブラケットの構造が開示されている。このブラケットは、車体フレームの前部に取り付けられ下方へ向かって車両の前後方向に延びるステー板と、このステー板の前端部から直交するように車幅方向の外側へ延びる矩形状の本体取付部とを有する取付ブラケットと、アンダーランプロテクタの後方側からアンダーランプロテクタにボルト等で固定された本体ブラケットとを備えて構成され、取付ブラケットの本体取付部の前面に、アンダーランプロテクタに固定された本体ブラケットの後面を面接触させてボルト等で固定することにより、取付ブラケット及び本体ブラケットを介して、アンダーランプロテクタを車体フレームに支持するようになっている。
【先行技術文献】
【特許文献】
【０００４】
【特許文献１】特開２００８−６２８３８号公報
【発明の概要】
【発明が解決しようとする課題】
【０００５】
ここで、一般的にアンダーランプロテクタの車幅方向の両端側に車両前方又は後方から衝撃荷重が作用した場合、アンダーランプロテクタとブラケットとの接続部位には、車両後方又は前方への衝撃力の他に、この部位を中心とする曲げモーメントが作用する。
【０００６】
ところが、特許文献１のブラケットの場合、本体ブラケットの後面と面接触する取付ブラケットの本体取付部（取付面部）は、車幅方向外側の外端縁が上下方向に沿って直線状に延びて形成されている。このため、アンダーランプロテクタの車幅方向の両端側に前方から衝撃荷重が作用すると、アンダーランプロテクタと本体取付部の外端縁との境界に過大な応力が集中し、アンダーランプロテクタが折れ曲がるおそれがある。
【０００７】
本発明は、アンダーランプロテクタの車幅方向の両端側に車両前方又は後方から衝撃荷重が作用した場合でも、アンダーランプロテクタの曲折が発生し難く、アンダーランプロテクタによる潜り込み防止性能を向上させることが可能なアンダーランプロテクタブラケットを提供することを目的とする。
【課題を解決するための手段】
【０００８】
上記課題を解決するため、本発明に係るアンダーランプロテクタブラケットは、車体フレームの前方又は後方に配置されて車幅方向に延びるアンダーランプロテクタを車体フレームに固定するためのアンダーランプロテクタブラケットであり、車体フレームに固定されて下方へ延びるブラケット本体と、このブラケット本体の前端部又は後端部に固定的に設けられ、車幅方向に沿って起立して前後方向と交叉し、アンダーランプロテクタの後面又は前面が面接触した状態でアンダーランプロテクタが取付られる平板状の取付面部と、を備えている。取付面部は、ブラケット本体の前端部又は後端部から車幅方向外側へ張出す張出部を含み、張出部の車幅方向外側の外端縁は、車幅方向内側に凹む凹状部を有さず、且つ上下方向に対して傾斜する傾斜部を有している。
【０００９】
上記構成では、張出部の外端縁が取付面部の外端縁となり、その取付面部の外端縁が、車幅方向内側に凹む凹状部を有さず、且つ上下方向に対して傾斜する傾斜部を有するため、取付面部よりも車幅方向外側でアンダーランプロテクタに後方又は前方へ過大な荷重が入力する所謂オフセット衝突時において、取付面部の外端縁が上下方向に沿って直線状に延びる場合と比べて、取付面部の外端縁での応力の集中が緩和される。このため、取付面部の外端縁でのアンダーランプロテクタの曲折等が生じ難く、アンダーランプロテクタによるオフセット衝突時の潜り込み防止性能を向上させることができる。
【００１０】
また、張出部の外端縁は、上下方向の中央部に対して上下対称となるように中央部が車幅方向外側に最も突出するＶ形状としてもよい。
【００１１】
上記構成では、取付面部の外端縁を、上下方向の中央部に対して上下対称となるように中央部が車幅方向外側に最も突出するＶ形状としたので、取付面部に対するアンダーランプロテクタの取付高さを変更した場合であっても、取付高さの違いに起因するオフセット衝突時のアンダーランプロテクタの変形モードの相違を少なく抑えることができる。
【発明の効果】
【００１２】
本発明に係るアンダーランプロテクタブラケットによれば、アンダーランプロテクタの車幅方向の両端側に車両前方又は後方から衝撃荷重が作用した場合でも、アンダーランプロテクタの曲折が生じ難く、アンダーランプロテクタによる潜り込み防止性能を向上させることができる。
【図面の簡単な説明】
【００１３】
【図１】本発明に係るアンダーランプロテクタブラケットを備えたキャブオーバートラックの模式側面図である。
【図２】本発明に係るアンダーランプロテクタブラケットの側面図であり、アンダーランプロテクタブラケットがアンダーランプロテクタを支持する状態を示す。
【図３】アンダーランプロテクタブラケットの取付面部の外観を示す斜視図である。
【図４】図２のアンダーランプロテクタブラケットを車両前方側から視た正面図であり、（ａ）は車高が低い場合のアンダーランプロテクタの取付位置を、（ｂ）は車高が高い場合のアンダーランプロテクタの取付位置をそれぞれ示す。
【発明を実施するための形態】
【００１４】
以下、本発明の一実施形態を、図面に基づいて説明する。なお、図中ＦＲは車両前方を、図中ＵＰは車両上方を、図中ＩＮは車幅方向内側をそれぞれ示している。また、以下の説明における前後方向は、車両の前後方向を意味し、左右方向は、車両前方を向いた状態での左右方向を意味する。
【００１５】
図１に示すように、本実施形態に係る車両１は、キャブ２が概ねエンジン（図示省略）より前方に位置するキャブオーバー型の車両であり、この車両１の後部には、リアアンダーランプロテクタ（アンダーランプロテクタ）３と、リアアンダーランプロテクタ３をシャシフレーム（車体フレーム）４に固定するためのブラケット（アンダーランプロテクタブラケット）５とを備えている。ブラケット５は、車両の左右に対称的に設けられて、共通のリアアンダーランプロテクタ３を左右で支持している。なお、左右のブラケット５はほぼ同様の構成を有するため、以下では左側について説明し、右側の説明を省略する。
【００１６】
図２及び図３に示すように、リアアンダーランプロテクタ３は、車幅方向に直線状に延びる鋼管等で中空状に形成され、車幅方向の両側で前後方向に延設されたシャシフレーム（サイドメンバ）４の後方の下側に配置される。このリアアンダーランプロテクタ３は、横断面が矩形状に形成され、ブラケット５に接続される前面６が前後方向と略直交する平坦面となっている。なお、本実施形態において、リアアンダーランプロテクタ３の後端面３ａは、シャシフレーム４の後端面４ａよりも前方に配置されているが、後端面４ａよりも後方に配置されていてもよい。
【００１７】
シャシフレーム４は、前後方向に延びる平板状の側板７ａと、側板７ａの上下方向の両端縁から車幅方向内側へ向かって相対向して延びる上板７ｂ及び下板７ｃ（図４参照）とを備えたＵ状断面に形成され、側板７ａの所定位置には、ボルト８が挿通可能なブラケット取付用のボルト挿通孔（図示省略）が複数形成されている。
【００１８】
図２〜図４に示すように、ブラケット５は、シャシフレーム４の側板７ａの車幅方向外側の面に固定され下方へ延びるとともに後方へＬ字状に屈曲して延びるブラケット本体９と、ブラケット本体９の後端部９ａに固定的に設けられ、車幅方向に沿って起立する平板状の取付面部１０とを備えている。
【００１９】
ブラケット本体９は、シャシフレーム４に固定された上端部９ｂから下方へ延びる第１の腕部１１と、第１の腕部１１を略直角に屈曲させて後方へ延びる第２の腕部１２とを有している。
【００２０】
第１の腕部１１は、上下方向に延びる角筒状に形成され、上端部９ｂには、車幅方向外側に開口する開口部１３を有している。開口部１３は、シャシフレーム４の側板７ａと当接する側壁部１４と、側壁部１４の前後方向の両端から相対向して車幅方向外側に立ち上がる一対の側壁部１５，１６とを備え、断面コ字状に形成される。側壁部１５，１６はそれぞれ上端から下方へ向かって傾斜するテーパ面を有している。側壁部１４には、シャシフレーム４の側板７ａに形成された複数のボルト挿通孔と対応する複数のボルト挿通孔（図示省略）が形成され、車幅方向外側から側壁部１４のボルト挿通孔と側板７ａのボルト挿通孔にそれぞれ挿通されたボルト８をナット１７（図４）で締結することで、シャシフレーム４にブラケット５が固定されている。
【００２１】
第２の腕部１２は、第１の腕部１１の側壁部１６を屈曲させて前後方向に延びる上壁部１８と、上壁部１８の左右方向の両端から相対向して延びる一対の側壁部１９，２０とを備え、下方と前方にそれぞれ開口する断面コ字状に形成されている。車幅方向内側の側壁部１９は、第１の腕部１１の側壁部１４と平面的に連なって前後方向に設けられ、車幅方向外側の側壁部２０は、第１の腕部１１の側壁部１４と対向する車幅方向外側の側壁部（図示省略）と平面的に連なって前後方向に設けられる。本実施形態では、第２の腕部１２を前方からみると、上壁部１８と側壁部１９，２０とに囲まれた取付面部１０の全域が視認できるようになっている。
【００２２】
取付面部１０は、ブラケット本体９の第２の腕部１２と略直交する方向、つまり、前後方向と略直交（交叉）する方向に延在するように、ブラケット本体９の後端部９ａに溶接等で固着されている。この取付面部１０は、上下方向の幅寸法がリアアンダーランプロテクタ３の前面６の上下方向の幅寸法よりも大きく形成され、リアアンダーランプロテクタ３の前面６が面接触するようになっている。すなわち、取付面部１０は、リアアンダーランプロテクタ３の前面６に形成された複数のボルト挿通孔（図示省略）と対応する複数のボルト挿通孔２１（図４）が上下方向に形成され、リアアンダーランプロテクタ３の前面６を当接させて、取付面部１０の前方からボルト挿通孔２１と前面６のボルト挿通孔にそれぞれ挿通されたボルト２２をナット（図示省略）で締結することにより、リアアンダーランプロテクタ３の前面６が面接触した状態で取り付けられる。
【００２３】
図４に示すように、取付面部１０に形成された複数のボルト挿通孔２１は、ブラケット本体９（第２の腕部１２）の外側と内側にそれぞれ配置されている。この内側に配置されたボルト挿通孔２１は、前方からブラケット本体９をみたときに、前方から視認できる位置に配置されている。このため、前方から工具等を差し込んでボルト２２を締結する作業を支障なく行うことができる。
【００２４】
図３及び図４に示すように、取付面部１０は、ブラケット本体９の第２の腕部１２の後端部９ａから車幅方向外側へ張出す張出部２３を含んで形成される。すなわち、張出部２３は、後端部９ａに固定された取付面部１０の矩形状の平板部２４に対して、その車幅方向外側の端面から一体的に張出して形成され、平板部２４と共にリアアンダーランプロテクタ３の前面６と面接触することで、取付面部１０を補強するようになっている。
【００２５】
張出部２３の外縁の略全域は、張出部２３の車幅方向外側の外端縁３０であり、この外端縁３０は、前後方向から視た平面視で張出部２３の上下方向の中央部３０ａ（中央部３０ａを通る水平線）に対して上下対称となるように中央部３０ａが車幅方向外側に最も突出したＶ形状の山型に形成され、車幅方向外側に向かって斜め下方に直線状に傾斜する傾斜部２５と車幅方向外側に向かって斜め上方に直線状に傾斜する傾斜部２６とを有している。なお、傾斜部２５，２６は、曲線状に形成されていてもよく、例えば、張出部２３が、上下方向の中央部に対して上下対称となるように半円状又は半楕円状の山型に形成されていてもよい。ただし、張出部２３は、車幅方向内側に凹む凹状部を含まず、外縁部３０の形状には、例えば、車幅方向外側に２つの山が突出するＷ形状等は含まれない。
【００２６】
次に、図４を参照して、取付面部１０に対して、リアアンダーランプロテクタ３の取付高さを変更した場合の張出部２３とリアアンダーランプロテクタ３との位置関係について説明する。リアアンダーランプロテクタ３は、取付面部１０の上下方向に配列された複数のボルト挿通孔２１に対して、リアアンダーランプロテクタ３の前面６のボルト挿通孔の位置を上下方向にずらしてボルト２２を挿通することで、取付高さが調整できるようになっている。図４（ａ）に示す車高が低い場合の例では、取付面部１０の上端と前面６の上端とを揃えた状態で、取付面部１０の最も高い位置のボルト挿通孔２１と上から３番目のボルト挿通孔２１に挿通されたボルト２２がそれぞれ前面６のボルト挿通孔に挿通されてナットで締結されており、図４（ｂ）に示す車高が高い例では、取付面部１０の下端と前面６の下端とを揃えた状態で、取付面部１０の上から２番目と４番目のボルト挿通孔２１に挿通されたボルト２２がそれぞれ前面６のボルト挿通孔に挿通されてナットで締結されている。
【００２７】
張出部２６の外端縁３０は、図４（ａ）と（ｂ）のいずれの場合も、車幅方向外側に最も突出する張出部２６の上下方向の中央部３０ａがリアアンダーランプロテクタ３の前面６と近接又は接触するように配置され、その結果、傾斜部２５と傾斜部２６がそれぞれ前面６に沿って配置されるようになっている（上下の傾斜部２５，２６の少なくとも一方については、その一方の傾斜部の全域が前面６と対向配置されている）。このように、本実施形態では、取付面部１０に対するリアアンダーランプロテクタ３の取付高さを変更した場合であっても、張出部２３の傾斜部２５及び傾斜部２６が広範囲で前面６と前後に重なるとともに、車幅方向外側に最も突出する外端縁３０の中央部３０ａが前面６と前後に重なる。
【００２８】
上述したように、本実施形態によれば、リアアンダーランプロテクタ３の前面６と面接触する張出部２６の外端縁３０が取付面部１０の外端縁となり、その外端縁３０が、車幅方向内側に凹む凹状部を有さず、且つ上下方向に対して傾斜する傾斜部２５，２６を有しているため、取付面部１０よりも車幅方向外側でリアアンダーランプロテクタ３に前方へ過大な荷重が入力する所謂オフセット衝突時において、取付面部の外端縁が上下方向に沿って直線状に延びる場合と比べて、取付面部１０の外端縁３０での応力の集中が緩和される。従って、取付面部１０の外端縁３０でのリアアンダーランプロテクタ３の曲折等が生じ難く、リアアンダーランプロテクタ３によるオフセット衝突時の潜り込み防止性能を向上させることができる。
【００２９】
また、本実施形態では、取付面部１０の外端縁３０を、上下方向の中央部に対して上下対称となるように中央部が車幅方向外側に最も突出するＶ形状としたので、取付面部１０に対してリアアンダーランプロテクタ３の取付高さを変更した場合であっても、取付高さの違いに起因するオフセット衝突時のリアアンダーランプロテクタ３の変形モードの相違を少なく抑えることができる。
【００３０】
なお、本実施形態では、取付面部１０の張出部２３の外端縁３０を、平面視で上下方向の中央部に対して上下対称となるように中央部が車幅方向外側に最も突出したＶ形状に形成する例を説明したが、この外端縁３０は、上下非対称となるように形成することも可能であり、例えば、車幅方向外側に最も突出する部分を張出部２３の上下方向の中央部に対して上下方向に位置をずらして設ける形状としてもよいし、傾斜部２５，２６のうち、一方だけを有する直角三角形のような形状とすることもできる。すなわち、取付面部１０の外端縁３０は、少なくとも一方の傾斜面を有することで、オフセット衝突時においては、取付面部１０の外端縁３０での応力の集中を緩和できるから、リアアンダーランプロテクタ３の曲折等が抑制され、リアアンダーランプロテクタ３によるオフセット衝突時の潜り込み防止性能を向上させることができる。
【００３１】
また、本実施形態では、取付面部１０が、前後方向と略直交する方向に延在するようにブラケット本体９の後端部９ａに固定される例を説明したが、取付面部１０は、リアアンダーランプロテクタ３の前面６と面接触していれば、前後方向と直交する以外の所定の角度で交叉して設けられていても、オフセット衝突時において、取付面部１０の外端縁３０での応力の集中を緩和することができる。
【００３２】
さらに、本実施形態では、シャシフレーム４の後方に配置されるリアアンダーランプロテクタ３をシャシフレーム４に固定するためのブラケット５を例に説明したが、図１に示すように、シャシフレーム４の前方に配置されるフロントアンダーランプロテクタ（アンダーランプロテクタ）２７をシャシフレーム４に固定するためのブラケット（アンダーランプロテクタブラケット）２８に適用することも可能である。
【００３３】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【符号の説明】
【００３４】
１：車両
３：リアアンダーランプロテクタ（アンダーランプロテクタ）
４：シャシフレーム（車体フレーム）
５，２８：ブラケット（アンダーランプロテクタブラケット）
６：前面
９：ブラケット本体
１０：取付面部
２３：張出部
２４：平板部
２５，２６：傾斜部
２７：フロントアンダーランプロテクタ（アンダーランプロテクタ）
３０：張出部の外端縁
【図１】
2017043329.tif 000003
【図２】
2017043329.tif 000004
【図３】
2017043329.tif 000005
【図４】
2017043329.tif 000006